(57)【要約】【課題】通話中の多忙な時や咄嗟の時に、一々手帳やメモ用紙を拡げたりペンを探すことは慌ただしくて煩わしい。携帯電話に内蔵する録音やインプット操作は非常に複雑で面倒であり、大事な事柄は必ずメモ書きが大切となる。故に、自動的に跳ね出るメモシールを収納し、極く小形の伸縮ペンを挿入して取付けたビニール又はプラスチック等で形成した極めてコンパクトな携帯電話用メモシールケースの提供にある。【解決の手段】この考案のメモシールケースは、携帯電話の裏面にビニール又はプラスチック等で形成し、筆記具を脇に挿入した形で取付けてある極めてコンパクトなことを特徴とす携帯電話用メモシールケースであり、また片手の操作でメモシールを自動的に跳ね上げ素早いメモが簡単に出来る便利なメモシールケースである。【選択図】　　図１
0003098079.tif 000002
【実用新案登録請求の範囲】
【請求項１】
携帯電話の裏面にメモシールケースをビニール又はプラスチック等で形成し、筆記具を脇に挿入した形で取付けてある極めてコンパクトなことを特徴とする携帯電話用メモシールケース。
【考案の詳細な説明】
【０００１】
【考案の属する技術分野】
この考案は、携帯電話での通話中に備忘用のメモが必要な場合、鞄又はポケットの手帳やメモ紙を取り出して筆記具を探す等の煩わしさを避け、素早くメモが取れるように携帯電話に取付ける筆記具に関するものである。
【０００２】
【従来の技術】
今日、携帯電話の普及は凄まじく業務上は勿論の事、私生活上においても片時も切り離す事が出来ない状況にあり、一部小学生さえも所持しているのを見聞する。しかもカメラの内蔵やインターネットの接続をはじめ録音・インプット等は既に一般化している。
現状では、機械的に携帯電話に録音又はインプットする事が出来るが、操作は非常に複雑であり面倒である。そこで、このような煩雑さから抜け出す為に携帯電話に下記のように工夫を施したものがあ。
【特許文献１】（特開平０９−２００３１４）携帯電話に着脱式のメモ用具を備えた板状蓋付専用具。
【特許文献２】（特開平０９−３０７６１６）携帯電話全体を被覆する特別カバーにメモ・ペン入れホルダーを設けたもの。
【特許文献３】（特開平１１−１６３９９４）携帯電話の背面にメモ用紙専用の貼付台を設置したもの。
【特許文献４】（実用登録３０３５７０４）携帯電話の背面にメモ台をを取けメモホルダーとしたもの。
【特許文献５】（実用登録３０７６８０６）　携帯電話の側壁に筆記具を保持するバンドを通す穴を設け、この穴に保持バンドを通して筆記具を取付けたももの。
【特許文献６】（特開平０４−１５０６４３）携帯電話内に機械的なメモ機能を設けたもの。
【特許文献７】（特開２００２−３２０２０）携帯電話の裏面にマジックテープを粘着剤で貼り、メモ用紙の裏にも粘着糊でマジックテープを貼って両者を合せ、本体の側壁に筆記具を備えたもの等がある。
【０００３】
【考案が解決しようとする課題】
特許文献１は、電話中に固まっているメモ用紙を素早く一枚剥がして取り出すのは中々難しく、また蓋が付随するのは非常に嵩張り軽量小型化にはそぐわない。
特許文献２は、特別製のカバーを携帯電話に被せてメモ・ペン入れホルダーを帯同させたものであるが、大型重量化を招き且つコストアップとなる欠点がある。特許文献３は、メモ用紙専用のメモ貼付台を携帯電話の背面に設置したものであるが、携帯電話は機種により形が様々に異なるので汎用性がなく、充電時には一々メモ用紙を外さなければならない不便がある。
特許文献４は、携帯電話の背面にメモ用紙専用の台板を設置してメモホルダーとしたもので、大きく嵩張る上メモ用紙の取出しにも不便である。しかも当然コストアップとなる。
特許文献５は、携帯電話の側壁に筆記具取付けの為の保持バンドを通す穴を設け、筆記具の着脱を可能としたものであるが、メモ用紙を取付けることが出来ない上、横に広がって嵩張る欠点がある。
特許文献６は、通話機能の他に機械的にメモを記録する機能を持たせたもので、現在の携帯電話のメモ機能と同じであり、操作が難しく殆ど利用されていない状況にある。
特許文献７は、携帯電話の裏面に粘着剤でマジックテープを貼り、メモ用紙にも粘着剤でマジックテープを貼って、両者を合わせて接着したものである。しかし、筆記具は携帯電話の側面に別途独立してペンを付随させてあるので、側面の拡がりは嵩張る原因となり、裏面のメモ用紙は固く重なって集積されているので素早く一枚を取り出すのに難点がある。
以上のように、重量のあるボードやメモ用具を備えた板状蓋付専用具、又は特別仕立ての保持カバーの為の携帯電話に対する全面被覆、或いはメモ用紙専用の貼付台及び保持バンド取付け穴の設定等はコストアップの原因であり、携帯電話の側面に対しての筆記具の取付けも、嵩高やフアッション性向から最も排除される欠点となる。
即ち、軽量小型化は携帯電話の世界的趨勢であり、如何にコンパクト化するかが重要課題となっている。更に、メモ用紙は一般に固く集積されているので咄嗟の素早い一枚の取出しは難しい。
【０００４】
そこで、この考案の目的は構造の複雑でコストアップすることなく、軽量小形化とフアッション性に優れ、素早くメモシールを自動的に跳ね上げ、しかもメモシールの一端の粘着剤により何時、何処にでも固定出来る非常にコンパクトな伸縮ペン付メモシールケースを提供することにある。
【０００５】
【課題を解決する為の手段】
上記の目的を達成すべく、携帯電話用メモシールケースは携帯電話の裏側に細長いメモシールを二つ折にして、素早い自動排出を可能とする為に一端を粘着剤にて繋ぎ、一枚づつ必要に応じて取り出せるように極めて薄いコンパクトなビニールやプラスチックケースに収納して伸縮ペンを付随させたもので、これを携帯電話の裏側とビニールケースの裏側とをマジックテープで貼り合わせた至って簡単なもので、煩わしい手間を除去した軽妙なメモシールケースである。
【０００６】
【考案の実施の形態】
本考案実施例について図面にもとずき説明する。
携帯電話（１）の裏面（２）に取付けたメモシールケース（４）は、長サ５ｃｍ・幅・３ｃｍ・厚さ０．３ｃｍ程度で長方形の極めてコンパクトな薄いビニール又はプラスチックのケースで、この中に長さ７．５ｃｍ・幅２．７ｃｍ程の細長いメモシール（３）を二つ折にして複数枚、例えば１５枚乃至２０枚を裏側となる片隅部分約０．７ｃｍ幅に粘着剤を塗布して順次折り重ねて繋ぎ、一連のメモシールに連結して集積し収納したものである。
更にメモシールケース（４）に付随して直径０．４ｃｍ程の伸縮ペン（７）がペン入れ（８）の中に備わっていて、マジックテープ（９）の片面（Ａ）をビニール又はプラスチックケース（４）の裏面に貼り、マジックテープ（１０）の片面（Ｂ）を携帯電話（１）の裏面（２）に貼って、マジックテープ（Ａ）と（Ｂ）の両面を貼り合わせたものが図１の実施例である。
収納されたメモシールの取出口（５）はケース上部の中程に横に切り目を入れてあるので、最初の一枚を取り出すと次の一枚が自動的に排出されてその先端が跳ね上がり、最後のシールまで継続して取り出される。
先端の跳ね上がったメモシールは指先の感覚のみでも簡単に取り出せ、粘着剤面を平坦な箇所に軽く貼れば完全に固定されるので、押さえる必要もなくメモが可能である。
使用済の空ビニールケースはマジックテープ（Ａ）が付着したまま剥がして使い捨てとするが、新しいメモシールケース（４）にはマジックテープ（Ａ）が必ず接着してあるので携帯電話の裏面（２）に残置するマジックテープ（Ｂ）面に貼り合わせれば容易に素早く使用出来る。従って、メモシールは使い捨てタイプの消耗品である。
【０００７】
【考案の効果】
本考案は上述の通り、携帯電話の裏面に取付けた携帯電話用の極めてコンパクトな使い捨てメモシールである。
多忙の時でも咄嗟に必要な時も全く慌てる事なく、素早く安心してメモシールを取り出して固定し、常備のペンを手にする事が出来るのでスムースなメモが可能である。新しいメモシールに取り替える時はメモシールケースを剥がし取り、新しいメモシールケースの裏側を携帯電話の裏面のマジックテープに軽く押さえるだけで簡単に終了する。しかも、メモシールはインデックスとして又付箋としても使用出来るので利用価値が高い。
加えて構造は極めて単純で製造も容易であるので価格も非常に安価に供給出来る利点がある。
【図面の簡単な説明】
【図１】図１は、この考案に係わる携帯電話にメモシールを取付けた状態を示す斜視図である。
【図２】図２は、メモシールを二つ折にして集積する状態を示す斜視図である。
【図３】図３は、メモシールとペンをコンパクトなケースに収納した正面図である。
【図４】図４は、メモシールケースの背面図である。
【図５】図５は、メモシールケースの右側面図である。
【図６】図６は、メモシールケースの左側面図である。
【図７】図７は、メモシールの断面図である。
【図８】図８は、メモシールの平面図である。
【図９】図９は、メモシールの底面図である。
【図１０】図１０は、ペンの縮小収納状態を示す。
【図１１】図１１は、ペンの伸長状態を示す。
【図１２】図１２は、メモシール用マジックテーテープＡ面
【図１３】図１３は、携帯電話用マジックテープＢ面
【図１４】図１４は、携帯電話の裏側にマジクテープを取付けた状態を示す斜視図
。
【符号の説明】
１　　　　　　　携帯電話
２　　　　　　　携帯電話の裏面
３　　　　　　　メモシール
４　　　　　　　メモシール収納ケース
５　　　　　　　メモシール取出口
６　　　　　　　ペン先
７　　　　　　　伸縮ペン
８　　　　　　　ペン入れ
９　　　　　　　メモシールケース裏面のマジックテープＡ面
１０　　　　　　携帯電話裏面のマジックテープＢ面
【図１】
0003098079.tif 000003
【図２】
0003098079.tif 000004
【図３】
0003098079.tif 000005
【図４】
0003098079.tif 000006
【図５】
0003098079.tif 000007
【図６】
0003098079.tif 000008
【図７】
0003098079.tif 000009
【図８】
0003098079.tif 000010
【図９】
0003098079.tif 000011
【図１０】
0003098079.tif 000012
【図１１】
0003098079.tif 000013
【図１２】
0003098079.tif 000014
【図１３】
0003098079.tif 000015
【図１４】
0003098079.tif 000016